(57)【特許請求の範囲】
【請求項１】
外周面に軸方向に向かって螺旋状又はＳＺ状の溝が複数条形成された、光ケーブル用のスロットロッドであって、
内層材料と該内層材料よりも軟質の外層材料との２層型の構造をもち、且つ、前記スロットロッドの中心を基準点とした前記溝の最深部の高さ、前記内層材料のリブ先端の高さをそれぞれＨ、ｈとした場合、ｈ＞Ｈであり、
前記スロットロッドの中心を基準点とした前記外層材料を含む全体のリブ高さをｒとした場合、ｈ／ｒ≦０．４である、スロットロッド。
【請求項２】
前記内層材料にポリブチレンテレフタレートを含む硬質プラスチック材料を使用し、前
記外層材料にポリエチレンを使用した、請求項１に記載のスロットロッド。
【請求項３】
前記内層材料の曲げ弾性率が１５００ＭＰａ以上で、前記内層材料の破断伸びが１１０％以上１２０％以下である、請求項１又は２に記載のスロットロッド。
【請求項４】
請求項１〜３のいずれか１項に記載のスロットロッドを備えた光ケーブル。
【請求項５】
隣り合う光ファイバ心線間の長手方向に連結部と非連結部が間欠的に形成された状態で前記光ファイバ心線が複数本並列に配置された光ファイバテープ心線を、一又は複数枚ずつ前記溝に収容した、請求項４に記載の光ケーブル。
【発明の詳細な説明】
【技術分野】
【０００１】
本発明は、光ケーブル用のスロットロッド、及びそのスロットロッドを備えた光ケーブルに関する。
【背景技術】
【０００２】
近年の映像配信、ＩＰ（Internet Protocol）電話、データ通信等のブロードバンドサービスの拡大により、光ファイバによる家庭向けのデータ通信サービス（ＦＴＴＨ：Fiber To The Home）の加入者が増加している。このＦＴＴＨでは、幹線光ファイバケーブルからドロップ光ケーブルを用いて加入者宅等に引き落とされる。
【０００３】
しかし、光ファイバを加入者宅等に引き落とすには、複数本の光ファイバ心線が並列に配置された光ファイバテープ心線（以下、テープ心線ともいう）を、最終的に単心の光ファイバ心線に分離（分岐）する必要がある。これに対応するために、例えば、特許文献１に記載の光ケーブルには、隣り合う光ファイバ心線同士を長手方向に間欠的に連結することにより光ファイバ心線の単心分離を容易にしたテープ心線（以下、間欠テープ心線という）が収容されている。
【０００４】
また、特許文献１に記載の光ケーブルは、その間欠テープ心線の収容のために、ＳＺ状に形成された複数条のスロット溝を持ったスロットロッド（スペーサともいう）を備えている。
【０００５】
ＳＺ撚スロット溝を持ったスロットロッドを備え、テープ心線（間欠テープ心線に限らない）を収容する光ケーブルは、ＳＺ撚ＴＳ（テープスロット）型光ケーブルと呼ばれる。このＳＺ撚ＴＳ型光ケーブルでは、一般的に、４心又は８心の光ファイバ心線がテープ状に一括化されたテープ心線を積層し、そのテープ心線が一塊のスタック状となりスロット溝内に収容されている。
【０００６】
特許文献２には、光ファイバ担持用スロットにおいて、スロット本体に、スロット本体の中心に向って指向する多数のリブ及び隣接するリブの間に深さを交互に変えた隣接する深いスロット溝と浅いスロット溝を備えたものが開示されている。
【０００７】
特許文献３には、外周面に光ファイバ心線が収納される複数のスロット溝をそれぞれ有する内層スロットとその外周に設けられた外層スロットとを備えた多層スロット型の光ケーブルにおいて、両スロット間に外層スロットを引き裂くための引裂き紐が介在され、両スロットのスロット溝に光ファイバ心線が収納されたものが開示されている。
【先行技術文献】
【特許文献】
【０００８】
【特許文献１】特開２０１１−２３２７３３号公報
【特許文献２】特開２００８−２９８９２２号公報
【特許文献３】特開２００２−３６５５０１号公報
【発明の概要】
【発明が解決しようとする課題】
【０００９】
特許文献２に記載の技術では、スロット（スロットロッド）を有する光ケーブルにおいて心線の高密度化が可能であるものの、スロットの強度を維持しつつ、収容されるテープ心線の曲げ歪みを緩和すべく溝空間を拡げる必要があるため、構造的な限界がある。つまり、この技術では、浅いスロット溝と深いスロット溝とを設けることにより、スロットの材料を減らして溝空間を拡げることが可能であるが、スロットの材料の剛性が低いとリブが倒れてしまい、逆に剛性が高いと小径曲げ時にリブが割れてしまう。
【００１０】
特許文献３に記載の技術では、同じく心線の高密度化が可能であるものの、内層スロットに収容された心線を取り出す場合に外層スロットも取り除く必要があるため心線の取り出しが難しいだけでなく、曲げ歪みを緩和するために個々のスロットを撚り合わせる必要があり、この撚り合わせが難しいといった問題がある。また、この技術においても、更なる高密度化のためにリブを細径化してスロットの材料を減らすことはできるが、その剛性が低いとリブが倒れてしまい、逆に剛性が高いと小径曲げ時にリブが割れてしまうといった問題がある。
【００１１】
本発明は、上述のような実状に鑑みてなされたものであり、その目的は、複数の溝を有する光ケーブル用のスロットロッドにおいて、溝を形成するリブを細径化した場合でも、リブが倒れてしまうことや小径曲げ時にリブ先端が割れてしまうことを防止することにある。
【課題を解決するための手段】
【００１２】
本発明に係るスロットロッドは、外周面に軸方向に向かって螺旋状又はＳＺ状の溝が複数条形成された、光ケーブル用のスロットロッドであって、内層材料と上記内層材料よりも軟質の外層材料との２層型の構造をもち、且つ、上記スロットロッドの中心を基準点とした上記溝の最深部の高さ、上記内層材料のリブ先端の高さをそれぞれＨ、ｈとした場合、ｈ＞Ｈであり、上記スロットロッドの中心を基準点とした上記外層材料を含む全体のリブ高さをｒとした場合、ｈ／ｒ≦０．４である。
本発明に係る光ケーブルは、上記スロットロッドを備える。
【発明の効果】
【００１３】
本発明によれば、複数の溝を有する光ケーブル用のスロットロッドにおいて、溝を形成するリブを細径化した場合でも、リブが倒れてしまうことや小径曲げ時にリブ先端が割れてしまうことを防止することができる。
【図面の簡単な説明】
【００１４】
【図１】本発明の一実施形態に係る光ケーブルの一構成例を示す断面図である。
【図２】図１の光ケーブルを曲げたときに掛かる歪みを説明するための図である。
【図３Ａ】図１の光ケーブルのスロット溝に収容する光ファイバテープ心線の一例を示す図である。
【図３Ｂ】図３Ａの光ファイバテープ心線の長手方向に垂直な断面図である。
【図４】図１の光ケーブルにおける曲げ試験及び側圧試験の結果を示す図である。
【発明を実施するための形態】
【００１５】
［本発明の実施形態の説明］
まず、本発明の実施形態を列記して説明する。
（１）本発明の実施形態に係るスロットロッドは、外周面に軸方向に向かって螺旋状又はＳＺ状の溝が複数条形成された、光ケーブル用のスロットロッドであって、内層材料と上記内層材料よりも軟質の外層材料との２層型の構造をもち、且つ、上記スロットロッドの中心を基準点とした上記溝の最深部の高さ、上記内層材料のリブ先端の高さをそれぞれＨ、ｈとした場合、ｈ＞Ｈであり、上記スロットロッドの中心を基準点とした上記外層材料を含む全体のリブ高さをｒとした場合、ｈ／ｒ≦０．４である。これにより、複数の溝を有する光ケーブル用のスロットロッドにおいて、溝を形成するリブを細径化した場合でも、リブが倒れてしまうことや小径曲げ時にリブ先端が割れてしまうことを防止することができるといった効果を奏する。
【００１６】
（２）本発明の他の実施形態に係るスロットロッドは、上記（１）のスロットロッドにおいて、上記内層材料にポリブチレンテレフタレートを含む硬質プラスチック材料を使用し、上記外層材料にポリエチレンを使用している。これにより、汎用の材料を使用して上記効果を得ることができる。
【００１７】
（３）本発明の他の実施形態に係るスロットロッドは、上記（１）又は（２）のスロットロッドにおいて、上記内層材料の曲げ弾性率が１５００ＭＰａ以上で、上記内層材料の破断伸びが１１０％以上１２０％以下である。これにより、上記効果をより得ることができる。
【００１８】
（４）本発明の実施形態に係る光ケーブルは、上記（１）〜（３）のいずれか１のスロットロッドを備える。これにより、複数の溝を有するスロットロッドを備えた光ケーブルにおいて、溝を形成するリブを細径化した場合でも、リブが倒れてしまうことや小径曲げ時にリブ先端が割れてしまうことを防止することができるといった効果を奏する。
【００１９】
（５）本発明の他の実施形態に係る光ケーブルは、上記（４）の光ケーブルにおいて、隣り合う光ファイバ心線間の長手方向に連結部と非連結部が間欠的に形成された状態で上記光ファイバ心線が複数本並列に配置された光ファイバテープ心線を、一又は複数枚ずつ上記溝に収容している。これにより、間欠接着型の光ファイバテープ心線を収容するための複数の溝を有するスロットロッドを備えた光ケーブルにおいて、溝を形成するリブを細径化した場合でも、リブが倒れてしまうことや小径曲げ時にリブ先端が割れてしまうことを防止することができるといった効果を奏する。
【００２０】
［本発明の実施形態の詳細］
以下、添付図面を参照しながら、本発明の実施形態に係るスロットロッド及びそのスロットロッドを備えた光ケーブルの具体例について説明する。
まず、図１及び図２を参照しながら、本発明の一実施形態に係る光ケーブル及びその光ケーブルに用いられるスロットロッドの一例を説明する。
【００２１】
図１に示すように、本実施形態に係る光ケーブル１は、テープスロット型光ケーブル（ＴＳ型光ケーブル）であり、複数枚の光ファイバテープ心線（以下、テープ心線という）２０と、スロットロッド１１と、スロットロッド１１の周囲に縦添え又は横巻きで巻き付けた上巻テープ（押さえ巻きテープともいう）１４と、上巻テープ１４で覆ったスロットロッド１１の外側を被覆する外被１５と、を備える。
【００２２】
上巻テープ１４は、一般に不織布をテープ状に形成したものが用いられるか、或いはポリエチレンテレフタレート（ＰＥＴ）等の基材と不織布とを貼り合わせたもの等が用いられる。なお、スロットロッド１１の外周に図示しない粗巻き紐を巻き付けた後に上巻テープ１４を巻き付けてもよい。外被１５は、ポリエチレン等の樹脂でなり、押出し成形で形成される。
【００２３】
スロットロッド１１は、その中心部に鋼線、鋼撚線等からなるテンションメンバ１２が埋設されると共に、スロットロッド１１の外周面に軸方向に向かって螺旋状又はＳＺ状の溝（スロット溝）１１ａが複数条形成されている。テープ心線２０は、各スロット溝１１ａにおいて一方向撚り又はＳＺ撚りで収容されることになる。
【００２４】
スロットロッド１１は、スロット溝１１ａを形成して他のスロット溝１１ａとの区分を行うために、スロットリブ１１ｂを有する。つまり、スロット溝１１ａは、隣り合うスロットリブ１１ｂ間の溝である。なお、所定のスロット溝１１ａの位置を識別するために、そのスロット溝１１ａを区分している所定のスロットリブ１１ｂにＶ字状、矩形状、Ｕ字状など種々の断面形状の着色樹脂を付着させておいてもよい。
【００２５】
図１では、５つのスロット溝１１ａが設けられ、各スロット溝１１ａに４０心のテープ心線２０が５枚収容された１０００心の光ケーブルを例に挙げている。但し、テープ心線２０の心数や、１つのスロット溝１１ａに収容するテープ心線２０の枚数や、スロット溝１１ａの数は、いずれも例示したものに限らない。テープ心線の収容形態としては、図１で例示したようにテープ心線２０を幅方向に折り曲げて１又は複数枚収容するようにしてもよいし、複数枚を積層して収容するようにしてもよい。前者の場合には特に、後述する間欠型のテープ心線を採用することが望ましい。
【００２６】
そして、本実施形態の主たる特徴として、スロットロッド１１は、内層材料１３と内層材料１３よりも軟質の外層材料との２層型の構造をもつ２層型スロットロッドとする。外層材料は、スロットロッド１１において内層材料１３を除いた部分に該当し、実際にテープ心線２０を収容するためのスロット溝１１ａが形成された層の材料を指す。内層材料１３だけを見ると、スロット溝１１ａと同様に溝１３ａを有することになる。
【００２７】
内層材料１３としては、ポリブチレンテレフタレート（ＰＢＴ）やそれを含む硬質プラスチック材料やＰＥＴ等の硬質の材料が挙げられる。この硬質プラスチック材料としては例えばポリカーボネート（ＰＣ）／ＰＢＴなどが挙げられる。外層材料としては、ポリエチレン、エラストマー等の軟質の材料が挙げられる。各材料はこれに限ったものではないが、内層材料１３には剛性により優れたＰＢＴを含む硬質プラスチック材料を使用し、外層材料にはポリエチレンを使用することが好ましい。これにより、汎用の材料を使用して本実施形態の後述する効果を得ることができる。
【００２８】
また、このようなスロットロッド１１は、例えば、内層材料１３を押出成形した後に、外層材料を押出成形することで製造することができる。
なお、内層材料１３の材質によっては、テンションメンバ１２を設けないようにすることもできる。
【００２９】
スロットロッド１１はさらに、スロットロッド１１の中心（テンションメンバ１２の中心）を基準点としたスロット溝１１ａの最深部の高さ、内層材料１３のリブ１３ｂの先端の高さをそれぞれＨ、ｈとした場合、ｈ＞Ｈである。つまり、スロットロッド１１は、リブ１３ｂの先端がスロット溝１１ａの底部より突き出た構造をもつ。
【００３０】
寸法の一例を挙げると、外径２４ｍｍの光ケーブル１の場合、外層材料の外径（つまりスロットロッド１１の外径）が２０ｍｍ程度、内層材料１３の外径（２ｈ）が１３ｍｍ程度（つまりｈが６．５ｍｍ程度）、Ｈが３．５ｍｍ程度（つまり最深部の深さが６．５ｍｍ程度）でよい。
【００３１】
また、図１では、スロット溝１１ａの底部が円弧状でスロット溝１１ａが拡がったＵ字状になっている場合を挙げているが、底部が平坦でスロット溝１１ａが矩形型になっていてもよい。その場合には、スロット溝１１ａの最深部の高さＨとはこの平坦部分の全ての位置での高さを指すことになるが、平坦部分の端部（リブ１１ｂとの境界線）側の高さが最も高くなるため、上述した条件は、その最も高くなる位置での高さＨよりｈが大きければよいことを意味する。但し、スロット溝１１ａは図示した例のように、収容されるテープ心線２０が回転し易い形状であることが好ましい。
【００３２】
本実施形態に係るスロットロッド１１及びそれを備えた光ケーブル１によれば、剛性の高い内層材料１３の存在から、スロット溝１１ａを形成するリブ１１ｂを細径化した場合でもリブ１１ｂが倒れてしまうことを防止できる。
【００３３】
また、スロットロッド１１やそれを備えた光ケーブル１は、図２で一方向撚りについての曲げ歪みを例示するように、曲げた場合には矢視したような応力が掛かる。この応力は、曲げ中立軸Ｘに対して曲げの内側で圧縮応力となり、逆に曲げ中立軸Ｘに対して曲げの外側では引張応力となってリブ先端割れの原因となる。なお、図２においてＦは、１つのスロット溝１１ａに収容されたテープ心線２０の概略位置を指している。ＳＺ撚りの場合でも、曲げ中立軸Ｘに対して曲げの内側で圧縮応力が掛かり、曲げの外側で引張応力が掛かる点は同様である。
【００３４】
しかし、本実施形態に係るスロットロッド１１やそれを備えた光ケーブル１は、上記引張応力に耐えうるように内層材料１３より軟質の外層材料の存在から、スロット溝１１ａを形成するリブ１１ｂを細径化した場合でも小径曲げ時にリブ１１ｂの先端が割れてしまうことを防止することができる。
【００３５】
上述のように、本実施形態に係るスロットロッド１１は、内部を硬質材料、外部を軟質材料にすることにより、スロットロッド１１やそれを備えた光ケーブル１を小さく曲げた際にリブ先端の割れを防止しつつ、スロットロッド１１のリブ倒れを防止する構造である。そして、スロットロッド１１及び光ケーブル１では、これら効果を奏することから、収容可能な心線数を増やすように高密度化をさせることができる。また、本実施形態に係るスロットロッド１１によれば、特許文献３に記載の技術のように、心線の取り出しが難しいこともなく、難しい撚り合わせを行う必要もない。
【００３６】
次に、図３Ａ，図３Ｂを参照しながらテープ心線２０の一例を説明する。図１では４０心テープ心線の例を挙げたが、ここでは簡略化を図るために４心テープ心線２０ａで例示する。
【００３７】
図３Ａは、スロット溝１１ａに収容するテープ心線２０の一例である４心テープ心線２０ａを示す図で、４心間欠テープ心線２０ａを幅方向に開いた状態を示す図である。図３Ｂは、図３Ａの４心間欠テープ心線２０ａの長手方向に垂直な断面図で、４心間欠テープ心線２０ａを幅方向に閉じた状態の図３ＡにおけるＢ−Ｂ断面を示す図である。
【００３８】
図３Ａで例示する４心間欠テープ心線２０ａは、間欠構造を持つ４本の光ファイバ心線２１からなる間欠テープ心線である。すなわち、４心間欠テープ心線２０ａは、４本の光ファイバ心線２１が並列に配置され（つまり平行一列に配列され）、隣り合う光ファイバ心線２１の間の長手方向に連結部２２と非連結部２３が間欠的に形成されている。
【００３９】
光ファイバ心線２１は、ガラスファイバにファイバ被覆を施した光ファイバ素線とも言われているもの、或いは、そのファイバ被覆の外面に着色層を施したものを含めた単心の光ファイバ（光ファイバ単心線）である。但し、各光ファイバ心線２１としてマルチコア光ファイバ心線を採用することもできる。
【００４０】
光ファイバ心線２１は、そのガラスファイバ径が略１２５μｍ、間欠テープ心線２０ａにおけるテープ被覆層を除く光ファイバ心線の被覆（ファイバ被覆）の外径が１９０μｍ以上２２０μｍ以下であることが好ましい。これにより、心線間のピッチを２５０μｍ程度とした間欠テープ心線２０ａが製造でき、光ケーブルの細径化も図れる。但し、光ファイバ心線２１の外径は２００μｍ程度に限らず、他の外径サイズを採用してもよく、例えば光ファイバ心線２１の被覆径が２５０μｍ前後であってもよい。また、心線の識別性を持たせるために着色層を施した光ファイバ心線の外径は、例えば、光ファイバ心線の被覆径を約２００μｍとすると約２０５μｍとなる。
【００４１】
そして、図３Ｂに示したように、光ファイバ心線２１の周囲には、紫外線硬化樹脂等によるテープ被覆２４が形成されている。連結部２２では、隣り合う光ファイバ心線２１のテープ被覆２４が連なっており、非連結部２３では、隣り合う光ファイバ心線２１のテープ被覆２４が連結されておらず、分離された状態となっている。なお、図３Ｂでは、各光ファイバ心線２１の全周をテープ被覆２４で覆われた例を挙げているが、隣接する光ファイバ心線２１間は直接に接し、テープ被覆で覆われていない形態のものであってもよい。
【００４２】
また、テープ幅方向で見ると、連結部２２と非連結部２３とが交互に配される部分と、非連結部２３だけが配される部分とが、長手方向に所定のピッチで交互に現れるような例を挙げている。但し、連結部２２と非連結部２３の配置のパターンはこの例に限ったものではない。また、図３Ａでは、より好ましい例として、幅方向に中央に位置する２番線と３番線との境界に対して線対称となるような間欠パターンを挙げて説明するが、これに限ったものではない。無論、連結部２２の断面形状やその連結方法は問わない。
【００４３】
４心間欠テープ心線２０ａのような間欠テープ心線は、既知の製造方法で製造できる。例えば、第１の方法は、連結部となる位置だけ樹脂を付与する方法である。この方法では、隣り合う光ファイバ心線間の長手方向に所定長だけ接着性樹脂又は被覆樹脂が付与された連結部と、所定長だけ接着性樹脂又は被覆樹脂が付与されていない非連結部とを交互に形成する。また、第２の方法は、複数本の光ファイバ心線の全長に紫外線硬化樹脂を塗布した後、長手方向に間欠的に紫外線（ＵＶ）照射を行い、紫外線硬化樹脂の硬化部分（連結部）と未硬化部分（非連結部）とを交互に形成する方法である。また、第３の方法は、まずテープ心線を形成し、そのテープ心線の共通被覆の長手方向にカッター刃で切り込みを形成し、連結部と非連結部とを交互に形成する方法である。
【００４４】
以上の説明では、隣り合う光ファイバ心線間の長手方向に連結部と非連結部が間欠的に形成された状態で光ファイバ心線が複数本並列に配置されたテープ心線を、一又は複数枚ずつ溝に収容した光ケーブルを例に挙げた。これにより、スロット溝を形成するリブを細径化したスロットロッドに間欠接着型のテープ心線を収容する場合に、リブが倒れてしまうことや小径曲げ時にリブ先端が割れてしまうことを防止することができ、結果として、テープ心線の高密度化を図ることができる。特に、このような間欠接着型のテープ心線を収容することで、スロットロッド内の空隙が小さくても、図２で例示したような曲げ歪みを緩和するようにテープ心線に含まれる各単心線が動くため、より高密度化が図れる。
【００４５】
但し、スロットロッドに収容する光ファイバ心線は間欠接着型のテープ心線でなく、全心が繋がったテープ心線であってもよく、さらにはテープ状のものでなく光ファイバ単心線（又マルチコア光ファイバ単心線）であってもよい。これにより、テープ心線以外を収容する場合でも、スロット溝を形成するリブを細径化した場合でも、リブが倒れてしまうことや小径曲げ時にリブ先端が割れてしまうことを防止することができ、光ファイバ単心線（又マルチコア光ファイバ単心線）の高密度化を図ることができる。
【００４６】
次に、図４を参照しながら、本実施形態に係る図１の構造の光ケーブル１におけるスロットロッド１１の曲げ試験及び側圧試験の試験結果について説明する。図４に示す表４０は、高密度の光ケーブル１に対する曲げ試験及び側圧試験の結果を示している。これらの試験における曲げ弾性率、破断伸びは、それぞれＪＩＳ（Japanese Industrial Standards） Ｋ ７１７１、ＪＩＳ Ｋ ７１６１に基づいて測定した値である。
【００４７】
スロットロッド１１として内層材料１３にＰＣ／ＰＢＴ複合材料、外層材料に高密度ポリエチレン（２０℃の曲げ弾性率１１００ＭＰａ、破断伸び２５０％）を使用した。スロット押出においては材料の融点が異なるため、内層のＰＣ／ＰＢＴ複合材料を高温でロータリークロスヘッドを用いて押し出した後、外層のポリエチレンのロータリークロスヘッドを通して、１層目の外径が１３ｍｍ、２層目を含めたスロットロッド１１の外径が２０ｍｍになるように押出成形を行った。また、スロットロッド１１のスロット溝１１ａはＳＺ状に形成したが、その際、１層目の溝１３ａと２層目のスロット溝１１ａとを同期させるように回転角度、周期の制御を行った。
【００４８】
また、このようなスロットロッド１１とは別に４０心型の間欠テープ心線２０を製造すべく、テープ化及び間欠加工を行った。間欠加工の方法としては各心線間にディスペンサで樹脂を塗布する方法を用いたが、その他の方法、例えばテープ樹脂を塗布した後、切断刃等で心線間に切れ目を入れる方法でもよい。
【００４９】
そして、上述のようなスロットロッド１１と間欠テープ心線２０を用いて、一般的な光ケーブル集合機を用いて各スロット溝１１ａにテープ心線２０の収納を行い、上巻テープ１４を巻いた後に低密度ポリエチレンの外被１５を被せてケーブル化を行い、高密度の光ケーブル１を製造した。
【００５０】
このような光ケーブル１に対し、高密度光ケーブルの曲げ試験、側圧試験結果を行った結果を図４の表４０に示す。曲げ試験は、径８０ｍｍのマンドレルに光ケーブル１を巻き付けて実施し、その結果、光ケーブル１のスロットロッド１１に亀裂が無ければ「Ａ」とし、それ以外は「Ｂ」として示している。また、側圧試験は、１００ｍｍ平板に１９６０Ｎの荷重を掛けて実施し、その結果、１ｄＢ以上のロス増や顕著なリブ倒れが無ければ「Ａ」とし、それ以外は「Ｂ」として示している。
【００５１】
そして、これらの試験は、スロットロッド１１の中心を基準点とした外層材料を含む全体のリブ１１ｂの高さｒに対する内層材料１３のリブ１３ｂの高さｈの比と、内層材料１３の曲げ剛性率と、内層材料（ＰＣ／ＰＢＴ複合材料）１３の破断伸びとをパラメータとして実施した。
【００５２】
その結果、１層型（ｈ／ｒ＝１）でＰＣ／ＰＢＴ複合材料を用いた光ケーブルにおいて、曲げ剛性（曲げ弾性率）が高く、破断伸びが低い材料では曲げ試験において、リブ先端に１２．５％の曲げ歪みが生じ、割れが生じた。一方、曲げ弾性率が低く、破断伸びが高い材料では側圧試験時にリブ倒れが生じて、損失増が生じる結果となった。
これに対し、２層型（ｈ／ｒ＜１）では、ＰＣ／ＰＢＴ複合材料の先端に加わる曲げ歪みが１層型と比較して低くなるため、破断伸び以下に抑えることができる結果が得られた。また、同様の試験結果が螺旋状（一方向）に形成されたスロット溝１１ａについても得られた。
【００５３】
表４０に示す試験結果から、ｈ／ｒ≦０．４であり、且つ、内層材料１３の曲げ弾性率が１５００ＭＰａ以上で、内層材料の破断伸びが１１０％以上１２０％以下であることが好ましいことが分かる。
【００５４】
以上、今回開示された実施形態は全ての点で例示であって制限的なものではない。本発明の範囲は、上述した例に限定されるものではなく、特許請求の範囲によって示され、特許請求の範囲と均等の意味及び範囲内での全ての変更が含まれることが意図されている。
【符号の説明】
【００５５】
１…光ケーブル、１１…スロットロッド、１１ａ…スロット溝、１１ｂ…スロットリブ（リブ）、１２…テンションメンバ、１３…内層材料、１３ａ…内層材料の溝、１３ｂ…内層材料のリブ、１４…上巻テープ、１５…光ケーブルの外被、２０，２０ａ…間欠テープ心線（テープ心線）、２１…光ファイバ心線、２２…連結部、２３…非連結部、２４…テープ被覆。
【図１】
0006270648.tif 000002
【図２】
0006270648.tif 000003
【図３Ａ】
0006270648.tif 000004
【図３Ｂ】
0006270648.tif 000005
【図４】
0006270648.tif 000006